(57)【要約】【課題】プリント配線板にあるベアリングなどを通す穴による電子部品配置の制限を最小限に抑え、大きなサイズの電子部品の配置または、プリント配線板のサイズ縮小を可能とする。【解決手段】巻線からなる固定子と、シャフトおよび前記シャフトより径の大きいベアリングとを有する回転子とからなるモータに内蔵することを目的としたプリント配線板において、プリント配線板の中心にあった通し穴を中心からずらす、または通し穴を切り欠き形状とすることで、電子部品配置の制限を最小限に抑える。【選択図】図１
2007116761.tif 000002
【特許請求の範囲】
【請求項１】
巻線からなる固定子と、シャフトおよび前記シャフトより径の大きいベアリングとを有する回転子とからなるモータに内蔵することを目的としたプリント配線板において、前期ベアリングを通すための通し穴の中心が前記プリント配線板の中心からずれていることを特徴としたプリント配線板。
【請求項２】
巻線からなる固定子と、シャフトおよび前記シャフトより径の大きいベアリングとを有する回転子とからなるモータに内蔵することを目的としたプリント配線板において、前記シャフトを通すために前期プリント配線板外周端面から中心に向けて切り欠きを設けたことを特徴とするプリント配線板。
【請求項３】
前記切り欠きの幅が前記ベアリングの径以下であることを特徴とした請求項２記載のプリント配線板。
【発明の詳細な説明】
【技術分野】
【０００１】
本発明は、例えば空調機器、燃焼用ファンモータを搭載した給湯機、空気清浄機に使用されるブラシレスＤＣモータ等のモータを駆動するためにモータに内蔵されるプリント配線板に関するものである。
【背景技術】
【０００２】
例えば、空調機器等に用いられる各種駆動用モータには、モータを駆動させるための駆動装置を搭載したプリント配線板が内蔵されることが多い。
【０００３】
図６は、従来のプリント配線板を内蔵したモータの構造図である。図６はプリント配線板を目視できる状態の図であり、この状態にベアリング３を保持する機構を追加し、モータとして完成する。また、プリント配線板に付随するリード線等の部材は省略してある。
【０００４】
図２は、図６に示されるプリント配線板を取り除いた状態のモータの構造図であり、巻線を有する固定子１と、シャフト２、ベアリング３およびコア８からなる回転子を示している。
【０００５】
図７は、プリント配線板の構造図であり、銅箔等をプリントした板４と、電子部品６ａ（図では代表部品１つを図示）とで構成されている。また、板４にはベアリング３およびシャフト２を通すための通し穴５がある。
【０００６】
図７に示すプリント配線板は、図２に示す構造体に取り付けられ、固定子１の巻線と電気的に接続される。
【０００７】
このプリント配線板を取り付ける過程で、プリント配線板にシャフト２およびベアリング３を貫通させる必要がある。シャフト２およびベアリング３の中心軸は、固定子１の中心軸と同軸であり、プリント配線板の中心軸も、固定子１の中心軸と同軸である。
【０００８】
そのため、従来、プリント配線板の中心軸と通し穴の中心軸は同軸で設計されていた。
【０００９】
また、プリント配線板の取り付け方法としては、特許文献１のようなものがある。
【特許文献１】特開２００２−８４７２９号公報
【発明の開示】
【発明が解決しようとする課題】
【００１０】
しかしながら、プリント配線板の中心にある通し穴は、図６に示すようなサイズの大きい電子部品６ａを配置する際の妨げとなる場合がある。つまり固定子１の径と、ベアリング３の径とから、配置できる電子部品６ａのサイズも制約を受けてしまう。さらには、電子部品６ａのサイズとベアリング３の径が決まった場合、固定子１の最小径も決められてしまい、モータの小型化の妨げとなってしまう。
【課題を解決するための手段】
【００１１】
本願発明のプリント配線板は、上記従来の課題に鑑みなされたものであり、巻線からなる固定子と、シャフトおよび前記シャフトより径の大きいベアリングとを有する回転子とからなるモータに内蔵することを目的としたプリント配線板において、前期ベアリングを通すための通し穴の中心が前記プリント配線板の中心からずらしたものである。または、前記シャフトを通すために前期プリント配線板外周端面から中心に向けて切り欠きを設け
たものである。
【発明の効果】
【００１２】
本願発明の通し穴の中心をずらしたプリント配線板によれば、従来の物より大きなサイズの電子部品を配置でき、別の効果としては、プリント配線板を小さくでき、モータの小型化の制約軽減が可能である。
【００１３】
また、切り欠きを設けたプリント配線板によれば、通し穴の中心をずらしたプリント配線板と同様の効果を得られる。
【００１４】
また、切り欠きの幅がベアリング径以下のプリント配線板によれば、電子部品の配置自由度をより向上できる。
【発明を実施するための最良の形態】
【００１５】
本願の請求項１に係る発明は、巻線からなる固定子と、シャフトおよび前記シャフトより径の大きいベアリングとを有する回転子とからなるモータに内蔵することを目的としたプリント配線板において、前期ベアリングを通すための通し穴の中心が前記プリント配線板の中心からずれていることを特徴としたプリント配線板である。
【００１６】
本願の請求項２に係る発明は、巻線からなる固定子と、シャフトおよび前記シャフトより径の大きいベアリングとを有する回転子とからなるモータに内蔵することを目的としたプリント配線板において、前記シャフトを通すために前期プリント配線板外周端面から中心に向けて切り欠きを設けたことを特徴とするプリント配線板である。
【００１７】
本願の請求項３に係る発明は、前記切り欠きの幅が前記ベアリングの径以下であることを特徴とした請求項２記載のプリント配線板である。
【実施例１】
【００１８】
以下、本発明の第１の実施例について、図面を参照しながら説明する。
【００１９】
図１は、プリント配線板を内蔵したモータの構造図である。図１はプリント配線板を目視できる状態の図であり、この状態にベアリング３を保持する機構を追加し、モータとして完成する。また、プリント配線板に付随するリード線等の部材は省略してある。
【００２０】
図２は、図１に示されるプリント配線板を取り除いた状態のモータの構造図であり、巻線を有する固定子１と、シャフト２、ベアリング３およびコア８からなる回転子を示している。
【００２１】
図３は、プリント配線板の構造図であり、銅箔等をプリントした板４と、電子部品６ｂ（図では代表部品１つを図示）とで構成されている。また、板４にはベアリング３およびシャフト２を通すための通し穴５があり、板４の中心軸と、通し穴５の中心軸は同軸ではない。
【００２２】
図３に示すプリント配線板は、図２に示す構造体に取り付けられ、固定子１の巻線と電気的に接続される。
【００２３】
この取り付けの際、ベアリング３をプリント配線板に通す時は、プリント配線板を同軸からずらし、ベアリング３を通し終えた後、同軸に戻す。
【００２４】
このようにすることで、板４の径および通し穴の径を変えることなく、従来の物より大
きなサイズの電子部品６ｂを配置できる。
【００２５】
また、図４は、従来の物と同サイズの電子部品６ａを配置したプリント配線板の構造図であり、通し穴の中心軸をずらすことで、電子部品６ａを板４のより中心部に配置でき、板４の径を小さくできる。
【実施例２】
【００２６】
以下、本発明の第２の実施例について、図面を参照しながら説明する。
【００２７】
実施例１で説明した図３とは異なる形状のプリント配線板について図５を用いて説明する。
【００２８】
図５は、プリント配線板の構造図であり、銅箔等をプリントした板４と、電子部品６ｂ（図では代表部品１つを図示）とで構成されている。また、板４には、シャフトを通すための切り欠き７があり、板４の外周端面から中心に向けて切り欠かれている。
【００２９】
図５に示すプリント配線板は、図２に示す構造体に取り付けられ、固定子１の巻線と電気的に接続される。
【００３０】
この取り付けの際、シャフト２のベアリング３とコア８の間の部分が切り欠き７に沿って挿入される。
【００３１】
このようにすることで、板４の径を変えることなく、従来の物より大きなサイズの電子部品６ｂを配置できる。
【００３２】
また、これにより図４に示したような板４の径を小さくすることができることは言うまでもない。
【産業上の利用可能性】
【００３３】
本発明のプリント配線板は、従来の物より大きなサイズの電子部品を配置する際や、モータの小型化が必要な場合に有用である。
【図面の簡単な説明】
【００３４】
【図１】本発明の実施例１におけるモータの構造図
【図２】本発明の実施例１におけるモータの構造図
【図３】本発明の実施例１におけるプリント配線板の構造図
【図４】本発明の実施例１におけるプリント配線板の構造図
【図５】本発明の実施例２におけるプリント配線板の構造図
【図６】従来技術におけるモータの構造図
【図７】従来技術におけるプリント配線板の構造図
【符号の説明】
【００３５】
１  固定子
２  シャフト
３  ベアリング
４  板
５  通し穴
６ａ  電子部品ａ
６ｂ  電子部品ｂ
７  切り欠き
８  コア
【図１】
2007116761.tif 000003
【図２】
2007116761.tif 000004
【図３】
2007116761.tif 000005
【図４】
2007116761.tif 000006
【図５】
2007116761.tif 000007
【図６】
2007116761.tif 000008
【図７】
2007116761.tif 000009